(57)【要約】【課題】デジタルコンテンツデータの残りのコピー可能回数に応じて、ユーザに同等のコンテンツデータを提示することができる情報処理装置およびコンテンツ推奨方法を提供する。【解決手段】コピー回数に制限のあるコンテンツデータおよび番組表情報を記憶し、コンテンツデータの残りコピー回数が一定回数以下となった場合、検索部３０１により番組表情報から該当するコンテンツデータの検索を行い、ＧＵＩ作成部３０２によりコンテンツデータのリストを作成し、リストをユーザに通知する。【選択図】      図３
2009105498.tif 000002
【特許請求の範囲】
【請求項１】
コピー回数に制限のあるコンテンツデータおよび番組表情報を記憶する記憶装置と、
前記コンテンツデータの残りコピー可能回数が一定回数以下となった場合、前記番組表情報から前記コンテンツデータに該当するコンテンツデータの検索を行う検索手段と、
前記検索手段によって該当するコンテンツデータがあった場合、前記コンテンツデータのリストを作成する作成手段と、
前記作成手段により作成されたリストをユーザに通知する通知手段と、
を具備することを特徴とする情報処理装置。
【請求項２】
請求項１に記載の情報処理装置において、
前記検索手段は、前記番組表情報が更新される度に検索を行うことを特徴とする情報処理装置。
【請求項３】
請求項１に記載の情報処理装置において、
前記該当するコンテンツデータは、前記コンテンツデータとタイトルが一致するコンテンツデータであることを特徴とする情報処理装置。
【請求項４】
請求項１に記載の情報処理装置において、
前記該当するコンテンツデータは、前記コンテンツデータの再放送であることを特徴とする情報処理装置。
【請求項５】
請求項１に記載の情報処理装置において、
前記検索手段は、前記コンテンツデータの残りコピー回数に応じた検索条件により検索を行うことを特徴とする情報処理装置。
【請求項６】
コピー回数に制限のあるコンテンツデータおよび番組表情報を記憶し、
前記コンテンツデータの残りコピー可能回数が一定回数以下となった場合、前記番組表情報から前記コンテンツデータに該当するコンテンツデータの検索を行い、該当するコンテンツデータがあった場合、前記コンテンツデータのリストを作成し、作成されたリストをユーザに通知することを特徴とするコンテンツ推奨方法。
【請求項７】
請求項６に記載のコンテンツ推奨方法において、
前記番組表情報が更新される度に検索を行うことを特徴とするコンテンツ推奨方法。
【請求項８】
請求項６に記載のコンテンツ推奨方法において、
前記該当するコンテンツデータは、前記コンテンツデータとタイトルが一致するコンテンツデータであることを特徴とするコンテンツ推奨方法。
【請求項９】
請求項６に記載のコンテンツ推奨方法において、
前記該当するコンテンツデータは、前記コンテンツデータの再放送であることを特徴とするコンテンツ推奨方法。
【請求項１０】
請求項６に記載のコンテンツ推奨方法において、
前記コンテンツデータの残りコピー回数に応じた検索条件により検索を行うことを特徴とするコンテンツ推奨方法。
【発明の詳細な説明】
【技術分野】
【０００１】
本発明はコンテンツデータのコピー制限の制御に関し、特に残コピー回数に応じた制御を行う情報処理装置およびコンテンツ推奨方法に関する。
【背景技術】
【０００２】
一般に、ビデオレコーダ、パーソナルコンピュータといった電子機器は、テレビジョン放送番組データのような各種映像コンテンツデータを記録および再生することが可能である。この場合、デジタル放送等のコンテンツデータ（デジタルコンテンツデータと称する）においては、内蔵するＨＤＤ内に録画されたデジタルコンテンツデータをＤＶＤ等の外部メディア等にコピー（ダイビング）する際、コピー回数制限が制限されているものがある。
【０００３】
また、録画されたコンテンツデータをユーザが再生した番組や嗜好パターンに基づいて、関連広告を表示する技術も開示されている（特許文献１）。
【特許文献１】特開２００７−１０４３１３号公報
【発明の開示】
【発明が解決しようとする課題】
【０００４】
しかし、特許文献１のように、ユーザが再生した番組や嗜好パターンに基づいて関連広告を表示する技術では、残りのコピー回数が少なくなってきたデジタルコンテンツデータに対して、ユーザに同等のコンテンツを提示し、録画を促すことはできない。
【０００５】
本発明は上述の事情を考慮してなされたものであり、デジタルコンテンツデータの残りのコピー可能回数に応じて、ユーザに同等のコンテンツデータを提示することができる情報処理装置およびコンテンツ推奨方法を提供することを目的とする。
【課題を解決するための手段】
【０００６】
上述の課題を解決するため、本発明の一態様によれば、コピー回数に制限のあるコンテンツデータおよび番組表情報を記憶する記憶装置と、前記コンテンツデータの残りコピー回数が一定回数以下となった場合、前記番組表情報から前記コンテンツデータに該当するコンテンツデータの検索を行う検索手段と、前記検索手段によって該当するコンテンツデータがあった場合、前記コンテンツデータのリストを作成する作成手段と、前記作成手段により作成されたリストをユーザに通知する通知手段と、を具備することを特徴とする情報処理装置が提供される。
【０００７】
また、コピー回数に制限のあるコンテンツデータおよび番組表情報を記憶し、前記コンテンツデータの残りコピー回数が一定回数以下となった場合、前記番組表情報から前記コンテンツデータに該当するコンテンツデータの検索を行い、該当するコンテンツデータがあった場合、前記コンテンツデータのリストを作成し、作成されたリストをユーザに通知することを特徴とするコンテンツ推奨方法が提供される。
【発明の効果】
【０００８】
本発明によれば、デジタルコンテンツデータの残りのコピー可能回数に応じて、ユーザに同等のコンテンツデータを提示することができる。
【発明を実施するための最良の形態】
【０００９】
（第１実施形態）
以下、図面を参照して、本発明の第１実施形態を説明する。  
まず、図１〜図３を参照して、本発明の第１実施形態に係る情報処理装置の構成を説明する。本実施形態の情報処理装置は、例えば、ノートブック型の携帯型パーソナルコンピュータ１０から実現されている。
【００１０】
このパーソナルコンピュータ１０は、放送番組データ（デジタル放送から受信したデジタルコンテンツデータを含む）、外部機器から入力されるビデオデータといった、映像コンテンツデータ（オーディオビジュアルコンテンツデータ、デジタルコンテンツデータ）を記録および再生することができる。即ち、パーソナルコンピュータ１０は、テレビジョン放送信号によって放送される放送番組データの視聴および録画を実行するためのテレビジョン（ＴＶ）機能を有している。このＴＶ機能は、例えば、パーソナルコンピュータ１０に予めインストールされているＴＶアプリケーションプログラムによって実現されている。また、ＴＶ機能は、外部のＡＶ機器から入力されるビデオデータを記録する機能、および記録されたビデオデータおよび記録された放送番組データを再生する機能、番組表データ（ＥＰＧ：Electronic Program Guide）を受信する機能も有している。
【００１１】
さらに、パーソナルコンピュータ１０は、パーソナルコンピュータ１０のＨＤＤ等に格納されたビデオデータ、放送番組データ（デジタルコンテンツデータ）のような映像コンテンツデータをＤＶＤ等の光ディスクやメモリカード等の外部媒体や外部装置にコピー（ダビング）することができる。この場合、デジタルコンテンツデータであれば、コピー（ダイビング）可能回数が制限されており、制限回数までしかコピーを行うことができない。
【００１２】
図１はコンピュータ１０のディスプレイユニットを開いた状態における斜視図である。本コンピュータ１０は、コンピュータ本体１１と、ディスプレイユニット１２とから構成されている。ディスプレイユニット１２には、ＴＦＴ−ＬＣＤ（Thin Film Transistor Liquid Crystal Display）１７から構成される表示装置が組み込まれている。
【００１３】
ディスプレイユニット１２は、コンピュータ本体１１に対し、コンピュータ本体１１の上面が露出される開放位置とコンピュータ本体１１の上面を覆う閉塞位置との間を回動自在に取り付けられている。コンピュータ本体１１は薄い箱形の筐体を有しており、その上面にはキーボード１３、本コンピュータ１０をパワーオン／パワーオフするためのパワーボタン１４、入力操作パネル１５、タッチパッド１６、およびスピーカ１８Ａ，１８Ｂなどが配置されている。
【００１４】
入力操作パネル１５は、押されたボタンに対応するイベントを入力する入力装置であり、複数の機能をそれぞれ起動するための複数のボタンを備えている。これらボタン群には、ＴＶ機能（視聴、録画、録画された放送番組データ／ビデオデータの再生）を制御するための操作ボタン群も含まれている。また、コンピュータ本体１１の正面には、本コンピュータ１０のＴＶ機能をリモート制御するリモコンユニットとの通信を実行するためのリモコンユニットインタフェース部２０が設けられている。リモコンユニットインタフェース部２０は、赤外線信号受信部などから構成されている。
【００１５】
コンピュータ本体１１の例えば右側面には、ＴＶ放送用のアンテナ端子１９が設けられている。また、コンピュータ本体１１の例えば背面には、例えばＨＤＭＩ(high-definition multimedia interface)規格に対応した外部ディスプレイ接続端子が設けられている。この外部ディスプレイ接続端子は、放送番組データのような映像コンテンツデータに含まれる映像データ（動画像データ）を外部ディスプレイに出力するために用いられる。
【００１６】
次に、図２を参照して、本コンピュータ１０のシステム構成について説明する。
【００１７】
本コンピュータ１０は、図２に示されているように、ＣＰＵ１０１、ノースブリッジ１０２、主メモリ１０３、サウスブリッジ１０４、グラフィクスプロセッシングユニット（ＧＰＵ）１０５、ビデオメモリ（ＶＲＡＭ）１０５Ａ、サウンドコントローラ１０６、ＢＩＯＳ−ＲＯＭ１０９、ＬＡＮコントローラ１１０、ハードディスクドライブ（ＨＤＤ）１１１、ＤＶＤドライブ１１２、ビデオプロセッサ１１３、カードコントローラ１１３、無線ＬＡＮコントローラ１１４、IEEE 1394コントローラ１１５、エンベデッドコントローラ／キーボードコントローラＩＣ（ＥＣ／ＫＢＣ）１１６、ＴＶチューナ１１７、およびＥＥＰＲＯＭ１１８等を備えている。なお、ＴＶチューナ１１７は、図示しないＢ−ＣＡＳカード（BS-Conditional Access Systems Card）を備えており、地上波デジタル放送や、ＢＳデジタル放送等のデジタル放送を受信可能である。
【００１８】
ＣＰＵ１０１は本コンピュータ１０の動作を制御するプロセッサであり、ハードディスクドライブ（ＨＤＤ）１１１から主メモリ１０３にロードされる、オペレーティングシステム（ＯＳ）２０１、およびＴＶアプリケーションプログラム２０２のような各種アプリケーションプログラムを実行する。ＴＶアプリケーションプログラム２０２はＴＶ機能を実行するためのソフトウェアである。このＴＶアプリケーションプログラム２０２は、ＴＶチューナ１１７によって受信された放送番組データを視聴するためのライブ再生処理、受信された放送番組データをＨＤＤ１１１に記録する録画処理、およびＨＤＤ１１１に記録された放送番組データ／ビデオデータを再生、コピー（ダイビング）する処理等を実行する。また、ＣＰＵ１０１は、ＢＩＯＳ−ＲＯＭ１０９に格納されたＢＩＯＳ（Basic Input Output System）も実行する。ＢＩＯＳはハードウェア制御のためのプログラムである。
【００１９】
ノースブリッジ１０２はＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、PCI EXPRESS規格のシリアルバスなどを介してＧＰＵ１０５との通信を実行する機能も有している。
【００２０】
ＧＰＵ１０５は、本コンピュータ１０のディスプレイモニタとして使用されるＬＣＤ１７を制御する表示コントローラである。このＧＰＵ１０５によって生成される表示信号はＬＣＤ１７に送られる。また、ＧＰＵ１０５は、ＨＤＭＩ制御回路３およびＨＤＭＩ端子２を介して、外部ディスプレイ装置１にデジタル映像信号を送出することもできる。
【００２１】
ＨＤＭＩ端子２は上述の外部ディスプレイ接続端子である。ＨＤＭＩ端子２は、非圧縮のデジタル映像信号と、デジタルオーディオ信号とを一本のケーブルでテレビのような外部ディスプレイ装置１に送出することができる。ＨＤＭＩ制御回路３は、ＨＤＭＩモニタと称される外部ディスプレイ装置１にデジタル映像信号をＨＤＭＩ端子２を介して送出するためのインタフェースである。
【００２２】
サウスブリッジ１０４は、ＬＰＣ（Low Pin Count）バス上の各デバイス、およびＰＣＩ（Peripheral Component Interconnect）バス上の各デバイスを制御する。また、サウスブリッジ１０４は、ハードディスクドライブ（ＨＤＤ）１１１およびＤＶＤドライブ１１２を制御するためのＩＤＥ（Integrated Drive Electronics）コントローラを内蔵している。さらに、サウスブリッジ１０４は、サウンドコントローラ１０６との通信を実行する機能も有している。
【００２３】
またさらに、サウスブリッジ１０４には、PCI EXPRESS規格のシリアルバスなどを介してビデオプロセッサ１１３が接続されている。
【００２４】
サウンドコントローラ１０６は音源デバイスであり、再生対象のオーディオデータをスピーカ１８Ａ，１８ＢまたはＨＤＭＩ制御回路３に出力する。
【００２５】
無線ＬＡＮコントローラ１１４は、たとえばIEEE 802.11規格の無線通信を実行する無線通信デバイスである。IEEE 1394コントローラ１１５は、IEEE 1394規格のシリアルバスを介して外部機器との通信を実行する。
【００２６】
エンベデッドコントローラ／キーボードコントローラＩＣ（ＥＣ／ＫＢＣ）１１６は、電力管理のためのエンベデッドコントローラと、キーボード（ＫＢ）１３およびタッチパッド１６を制御するためのキーボードコントローラとが集積された１チップマイクロコンピュータである。このエンベデッドコントローラ／キーボードコントローラＩＣ（ＥＣ／ＫＢＣ）１１６は、ユーザによるパワーボタン１４の操作に応じて本コンピュータ１０をパワーオン／パワーオフする機能を有している。さらに、エンベデッドコントローラ／キーボードコントローラＩＣ（ＥＣ／ＫＢＣ）１１６は、リモコンユニットインタフェース２０との通信を実行する機能を有している。
【００２７】
ＴＶチューナ１１７はテレビジョン（ＴＶ）放送信号によって放送される放送番組データを受信する受信装置であり、アンテナ端子１９に接続されている。このＴＶチューナ１１７は、例えば、地上波デジタルＴＶ放送のようなデジタル放送番組データを受信可能なデジタルＴＶチューナとして実現されている。また、ＴＶチューナ１１７は、外部機器から入力されるビデオデータをキャプチャする機能も有している。
【００２８】
次に、図３を参照して、ＴＶアプリケーションプログラム２０２によって実行される録画、コピー（ダビング）機能について説明する。
【００２９】
コンピュータ１０は、信号処理部（ビデオプロセッサ）１１３、ＨＤＤ１１１、光ディスクドライブ（ＤＶＤ）１１２、出力部２２０、制御部（ＴＶアプリケーション）２０２を備えている。制御部（ＴＶアプリケーション）２０２は、検索部３００、録画予約設定部３０１、受光部２０、ＧＵＩ（Graphical User Interface）作成部３０２を備える。
【００３０】
デジタル放送番組データのようなデジタルコンテンツデータは、信号処理部（ビデオプロセッサ）１１３で映像処理が行われて、ＨＤＤ１１１に録画される。録画されたデジタルコンテンツデータは、出力部２２０から外部ディスプレイ１に出力される。また、受光部２０は、リモコンユニットからの指示を受信する。
【００３１】
デジタルコンテンツデータは、光ディスクドライブ（ＤＶＤ）１１２にコピー（ダビング）される度に、コピー可能回数が減少する。コピー可能回数が所定回数以下になると、検索部３００により、受信したＥＰＧの番組表データを用いて、同じ番組または関連する番組がないかを検索する。該当する番組が見つかると、ＧＵＩ作成部３０２により、リストが作成され、ユーザに提示される。
【００３２】
次に、図４のフローチャートを参照して、本発明の実施形態に係る実施形態を適用した推奨コンテンツ方法について説明する。
【００３３】
コンピュータ１０のＴＶアプリケーション２０２は、デジタルコンテンツデータを光ディスクドライブ（ＤＶＤ）１１２等にコピー（ダビング）処理を行う（ステップＳ１０１）コピー処理を行うと、コピー可能回数が減少する。ＴＶアプリケーション２０２は、所定のデジタルコンテンツデータ（例えば、タイトル「エピソード１」）が、コピー可能回数が所定回数以下（例えば、３回以下）になると（ステップＳ１０２ＹＥＳ）、検索部３００により、受信したＥＰＧの番組表データを用いて、同じタイトルの番組がないかを検索する（ステップＳ１０３）。該当する番組が見つかると（ステップＳ１０４のＹＥＳ）、ＧＵＩ作成部３０２により、リストが作成され（ステップＳ１０５）、ユーザに提示される（ステップＳ１０６）。作成されたリストは、例えば、図５に示すように、タイトル「エピソード１」とタイトルが完全に一致した番組となる。また、通常、タイトルが完全に一致した番組は再放送であることが多いので、再放送というキーワードもタイトルと合わせて検索に用いることもできる。
【００３４】
すなわち、所定のデジタルコンテンツデータ（例えば、タイトル「エピソード１」）が、コピー可能回数が所定回数以下（例えば、３回）になると、上述したリストを提示し、ユーザに通知する。
【００３５】
以上のように、本実施形態においては、デジタルコンテンツデータの残りのコピー可能回数が所定回数となると、ユーザに同等のコンテンツデータを提示することができる。
【００３６】
（第２実施形態）
次に、本実施形態の第２実施形態について図６〜図１０を参照して説明する。
【００３７】
本発明の第２実施形態に係る情報処理装置の構成は、第２実施形態と同様である。相違点は、コンピュータ１０がサーバと連携してサービスを行い、ＥＰＧ情報以外の様々な情報（ＤＬデータ：ダウンロードデータ、ＤＶＤ等のパッケージメディア、ストリーミング配信等）に基づいてコンテンツの推薦を行う点である。なお、サーバの処理フローは、図８に示した。
【００３８】
コンピュータ１０のＴＶアプリケーション２０２は、デジタルコンテンツデータを光ディスクドライブ（ＤＶＤ）１１２等にコピー（ダビング）処理を行う（ステップＳ２０１：図６）コピー処理を行うと、コピー可能回数が減少する。ＴＶアプリケーション２０２は、所定のデジタルコンテンツデータ（例えば、タイトル「エピソード１」）が、コピー可能回数がＮ回数以下（例えば、６回以下）であり、かつ、コピー可能回数がＭ（例えば３）回数以上（例えば、４回以下）の場合（ステップＳ２０３ＮＯ：図６）である場合は、ＴＶアプリケーション２０２により、例えば図９に示すように、狭い範囲でコンテンツ検索リクエストを作成する（ステップＳ２０５：図６）。作成されたコンテンツ検索リクエストは、タイトルが「エピソード１」、検索条件は、「タイトル：完全一致」とし、他の欄は空欄とする。作成されたコンテンツ検索リクエストは、サーバに送信される（ステップＳ２０６：図６）。サーバは、コンテンツ検索リクエストを受信すると（ステップＳ３０１：図８）、コンテンツ検索リクエストに基づいて類似コンテンツを検索する（ステップＳ３０２：図８）。検索により推奨コンテンツが見つかるとサーバは、例えば図１０に示すように、推奨コンテンツ情報を作成する（ステップＳ３０３：図８）。そしてサーバは、推奨コンテンツ情報を含む返信メッセージを作成し（ステップＳ３０４：図８）、返信メッセージをコンピュータ１０に送信する（ステップＳ３０５：図８）。
【００３９】
コンピュータ１０は、返信メッセージを受信すると（ステップＳ２０７）、推奨コンテンツ情報がある場合は（ステップＳ２０８のＹＥＳ：図７）、ＧＵＩ作成部３０２によりユーザ提示リストを作成し（ステップＳ２０９：図７）、ユーザに提示、通知する（ステップＳ２１０：図７）。
【００４０】
作成されたリストは、例えば図１０に示すように、タイトル「エピソード１」とタイトルが完全に一致した例えば、再放送番組、ＤＶＤとなる。
【００４１】
一方、ステップＳ２０３で、コピー可能回数がＮ回数以下（例えば、６回以下）であり（ステップＳ２０２ＹＥＳ：図６）、かつ、コピー可能回数がＭ（例えば３）回数以下（例えば、２回以下）の場合（ステップＳ２０３ＹＥＳ：図６）、ＴＶアプリケーション２０２により、例えば図１１に示すように、広い範囲でコンテンツ検索リクエストを作成する（ステップＳ２０４：図６）。作成されたコンテンツ検索リクエストは、タイトルが「エピソード１」、検索条件は、「タイトル：先頭部分一致  ｏｒ  ジャンル一致  ｏｒ  出演者一致」、ジャンルは「ドラマ」、出演者情報は、「出演者Ａ、出演者Ｂ、出演者Ｃ」とし、他の欄は空欄とする。作成された広い範囲のコンテンツ検索リクエストは、サーバに送信される（ステップＳ２０６：図６）。サーバは、コンテンツ検索リクエストを受信すると（ステップＳ３０１：図８）、コンテンツ検索リクエストに基づいて類似コンテンツを検索する（ステップＳ３０２：図８）。検索により推奨コンテンツが見つかるとサーバは、例えば図１２に示すように、推奨コンテンツ情報を作成する（ステップＳ３０３：図８）。そしてサーバは、推奨コンテンツ情報を含む返信メッセージを作成し（ステップＳ３０４：図８）、返信メッセージをコンピュータ１０に送信する（ステップＳ３０５：図８）。
【００４２】
コンピュータ１０は、返信メッセージを受信すると（ステップＳ２０７）、推奨コンテンツ情報がある場合は（ステップＳ２０８のＹＥＳ：図７）、ＧＵＩ作成部３０２によりユーザ提示リストを作成し（ステップＳ２０９：図７）、ユーザに提示、通知する（ステップＳ２１０：図７）。
【００４３】
作成されたリストは、例えば図１２に示すように、タイトル「エピソード１」とタイトルが完全一致した例えば、エピソード１（再放送）、エピソード１（ＤＶＤ）、タイトルの先頭部分が一致した例えば、エピソード２（ＤＬ可）、エピソード２（再放送）、ジャンルが一致したタイトルＤ、出演者が一致したタイトルＥが含むリストとなる。
【００４４】
以上のように、本実施形態においては、コピー可能回数がかなり少なくなってきた場合に、類似のコンテンツをユーザに提示して推奨することができる。
【００４５】
また、本実施形態の処理の手順は全てソフトウェアによって実現することができるので、このソフトウェアをコンピュータ読み取り可能な記憶媒体を通じて通常のコンピュータに導入することにより、本実施形態と同様の効果を容易に実現することができる。
【００４６】
また、本実施形態の電子機器はコンピュータ１０によって実現するのみならず、例えば、ＨＤＤレコーダ、ＤＶＤレコーダ、テレビジョン装置といった様々なコンシューマ電子機器によって実現することもできる。この場合、ＴＶアプリケーションプログラム２０２の機能は、ＤＳＰ（Digital Signal Processor）、マイクロコンピュータのようなハードウェアによって実現することができる。
【００４７】
また、本発明は、上記実施形態そのままに限定されるものではなく、実施段階ではその要旨を逸脱しない範囲で構成要素を変形して具体化できる。また、上記実施形態に開示されている複数の構成要素の適宜な組み合わせにより種々の発明を形成できる。例えば、実施形態に示される全構成要素から幾つかの構成要素を削除してもよい。更に、異なる実施形態に構成要素を適宜組み合わせてもよい。
【図面の簡単な説明】
【００４８】
【図１】本発明の第１実施形態に係る情報処理装置の概観の例を示す斜視図。
【図２】同実施形態の情報処理装置のシステム構成の例を示すブロック図。
【図３】同実施形態の情報処理装置のＴＶアプリケーションの機能等を説明するためのブロック図。
【図４】同実施形態の情報処理装置によって実行されるコンテンツ推奨方法の処理の手順の例を示すフローチャート。
【図５】同実施形態の情報処理装置によって作成されたリストの模式図。
【図６】本発明の第２実施形態の情報処理装置によって実行されるコンテンツ推奨方法の処理の手順の例を示すフローチャート。
【図７】同実施形態の情報処理装置によって実行されるコンテンツ推奨方法の処理の手順の例を示すフローチャート。
【図８】同実施形態の情報処理装置によって実行されるコンテンツ推奨方法の処理の手順の例を示すフローチャート。
【図９】同実施形態の情報処理装置によって作成されたコンテンツ検索リクエストの模式図。
【図１０】同実施形態の情報処理装置によって作成されたリストの模式図。
【図１１】同実施形態の情報処理装置によって作成されたコンテンツ検索リクエストの模式図。
【図１２】同実施形態の情報処理装置によって作成されたリストの模式図。
【符号の説明】
【００４９】
１０…コンピュータ（情報処理装置）、１３…キーボード、１６…タッチパッド、１７…ＬＣＤ、２０…リモコンユニットインタフェース、１０１…ＣＰＵ、１０３…主メモリ、１０５…ＧＰＵ、１１１…ＨＤＤ、１１２…光ディスクドライブ、１１３…ビデオプロセッサ、１１４…無線ＬＡＮコントローラ、１１７…ＴＶチューナ、２０２…ＴＶアプリケーション、２２０…出力部、３００…検索部、３０１…録画予約設定部、３０２…ＧＵＩ作成部。
【図１】
2009105498.tif 000003
【図２】
2009105498.tif 000004
【図３】
2009105498.tif 000005
【図４】
2009105498.tif 000006
【図５】
2009105498.tif 000007
【図６】
2009105498.tif 000008
【図７】
2009105498.tif 000009
【図８】
2009105498.tif 000010
【図９】
2009105498.tif 000011
【図１０】
2009105498.tif 000012
【図１１】
2009105498.tif 000013
【図１２】
2009105498.tif 000014